(57)【要約】      （修正有）【課題】無線セルラ通信ネットワークのモビリィティ管理エンティティの輻輳問題を回避する。【解決手段】少なくとも２つのトラッキングエリアに含まれるセルを管理する１つの基地局が、基地局により管理されるセルに含まれる少なくとも１つの移動端末にメッセージを転送するステップであって、基地局により管理されるセルが属する少なくとも２つのトラッキングエリアの複数の識別子を含む、メッセージを転送するステップと、移動端末からメッセージを受信するステップであって、メッセージは、移動端末に転送された複数の識別子の中の１つの単一の識別子を含み、識別子は移動端末により選択されるトラッキングエリアの識別子である、メッセージを受信するステップとを実行する。【選択図】図１
2008113441.tif 000002
【特許請求の範囲】
【請求項１】
複数のトラッキングエリアを含む無線セルラ通信ネットワークのトラッキングエリアを判断する方法であって、
各トラッキングエリアは移動端末が位置する複数のセルを含み、
少なくとも２つのトラッキングエリアは、前記少なくとも２つのトラッキングエリアに含まれるセルと、１つのトラッキングエリアに属するセルとを含み、
各セルは前記無線セルラ通信ネットワークの基地局により管理される
方法において、
前記方法は、
前記少なくとも２つのトラッキングエリアに含まれるセルを管理する、少なくとも１つの基地局が、
前記基地局により管理される前記セルに含まれる少なくとも１つの移動端末に、メッセージを転送するステップであって、前記メッセージは、前記基地局により管理される前記セルが属する前記少なくとも２つのトラッキングエリアの複数の識別子を含む、転送するステップと、
前記移動端末からメッセージを受信するステップであって、前記メッセージは、前記移動端末に転送された前記複数の識別子の中の１つの単一の識別子を含み、前記識別子は前記移動端末により選択される前記トラッキングエリアの識別子である、受信するステップと
を実行することを特徴とする、無線セルラ通信ネットワークのトラッキングエリアを判断する方法。
【請求項２】
追加情報を転送するステップであって、
前記追加情報は、前記基地局により管理される前記セルと、前記少なくとも２つのトラッキングエリアのうちの少なくとも１つのトラッキングエリアの境界との距離を表すデータであり、及び／又は、
前記追加情報は、前記基地局が接続されている少なくとも１つのモビリティ管理エンティティの輻輳状況を表すデータであり、及び／又は、
前記追加情報は、前記少なくとも２つのトラッキングエリアのうちの少なくとも１つのトラッキングエリアに関連付けられる少なくとも１つの確率を表すデータであり、及び／又は、
前記追加情報は、前記少なくとも２つのトラッキングエリアの中の好ましいトラッキングエリアを表すデータである
追加情報を転送するステップをさらに含むことを特徴とする、請求項１に記載の方法。
【請求項３】
１つのトラッキングエリアに関連付けられる前記確率は、
前記基地局により管理される前記セルと、前記少なくとも２つのトラッキングエリアのうちの少なくとも１つのトラッキングエリアの前記境界との前記距離から求められ、及び／又は、
前記基地局が接続されている少なくとも１つのモビリティ管理エンティティの前記輻輳状況を表すデータから求められる
ことを特徴とする、請求項２に記載の方法。
【請求項４】
１つの確率が各トラッキングエリアに関連付けられ、
前記好ましいトラッキングエリアは、前記関連付けられた確率が前記確率の中で最高である前記トラッキングエリアとして決定される
ことを特徴とする、請求項２に記載の方法。
【請求項５】
複数のトラッキングエリアを含む無線セルラ通信ネットワークのトラッキングエリアを判断する方法であって、
各トラッキングエリアは移動端末が位置する複数のセルを含み、
少なくとも２つのトラッキングエリアは、前記少なくとも２つのトラッキングエリアに含まれるセルと、１つのトラッキングエリアに属するセルとを含み、
各セルは前記無線セルラ通信ネットワークの基地局により管理される
方法において、
前記方法は、
前記少なくとも２つのトラッキングエリアに含まれるセルに位置する、少なくとも１つの移動端末が、
前記移動端末が位置する前記セルを管理する前記基地局からメッセージを受信するステップであって、前記メッセージは、前記基地局により管理される前記セルが属する前記トラッキングエリアの複数の識別子を含む、受信するステップと、
前記移動端末により受信される前記複数の識別子の中から１つの識別子を選択するステップと、
前記移動端末が位置する前記セルを管理する前記基地局にメッセージを転送するステップであって、前記メッセージは前記選択された識別子を含む、転送するステップと
を実行することを特徴とする、無線セルラ通信ネットワークのトラッキングエリアを判断する方法。
【請求項６】
追加情報を受信するステップであって、
前記追加情報は、前記基地局により管理される前記セルと前記少なくとも２つのトラッキングエリアのうちの少なくとも１つのトラッキングエリアの境界との距離を表すデータであり、及び／又は、
前記追加情報は、前記基地局が接続されている少なくとも１つのモビリティ管理エンティティの輻輳状況を表すデータであり、及び／又は、
前記追加情報は、前記２つのトラッキングエリアのうちの少なくとも１つのトラッキングエリアに関連付けられる確率を表すデータであり、及び／又は、
前記追加情報は、前記少なくとも２つのトラッキングエリアの中の好ましいトラッキングエリアを表すデータである
受信するステップをさらに含むことを特徴とする、請求項５に記載の方法。
【請求項７】
前記移動端末が受信する前記複数の識別子の中の前記識別子は、
ランダム値を生成することと、生成されたランダム値を前記２つのトラッキングエリアのうちの少なくとも１つのトラッキングエリアに関連付けられる前記確率と比較することとにより選択される
ことを特徴とする、請求項６に記載の方法。
【請求項８】
前記基地局から前記メッセージを受信する前に実行される、トラッキングエリア更新メッセージであるメッセージを前記基地局に定期的に転送するステップをさらに含むことを特徴とする、請求項５〜７のいずれか一項に記載の方法。
【請求項９】
複数のトラッキングエリアを含む無線セルラ通信ネットワークの基地局であって、
各トラッキングエリアは移動端末が位置する複数のセルを含み、
少なくとも２つのトラッキングエリアは、前記少なくとも２つのトラッキングエリアに含まれるセルと、１つのトラッキングエリアに属するセルとを含み、
各セルは前記無線セルラ通信ネットワークの前記基地局により管理される
基地局において、
前記２つのトラッキングエリアに含まれるセルを管理する前記基地局は、
前記基地局により管理される前記セルに含まれる少なくとも１つの移動端末にメッセージを転送する手段であって、前記メッセージは、前記基地局により管理される前記セルが属する前記少なくとも２つのトラッキングエリアの複数の識別子を含む、転送する手段と、
前記移動端末からメッセージを受信する手段であって、前記メッセージは、前記移動端末に転送された前記複数の識別子の中の１つの単一の識別子を含み、前記識別子は前記移動端末により選択される前記トラッキングエリアの識別子である、受信する手段と
を備えることを特徴とする、無線セルラ通信ネットワークの基地局。
【請求項１０】
複数のトラッキングエリアを含む無線セルラ通信ネットワークの移動端末であって、
各トラッキングエリアは複数の移動端末が位置する複数のセルを含み、
少なくとも２つのトラッキングエリアは、前記少なくとも２つのトラッキングエリアに含まれるセルと、１つのトラッキングエリアに属するセルとを含み、
各セルは前記無線セルラネットワークの基地局により管理され、
前記移動端末は、前記少なくとも２つのトラッキングエリアに含まれるセルに位置する
移動端末において、
前記移動端末は、
前記移動端末が位置する前記セルを管理する前記基地局からメッセージを受信する手段であって、前記メッセージは、前記基地局により管理される前記セルが属する前記少なくとも２つのトラッキングエリアの複数の識別子を含む、受信する手段と、
前記移動端末により受信される前記複数の識別子の中から１つの識別子を選択する手段と、
前記移動端末が位置する前記セルを管理する前記基地局にメッセージを転送する手段であって、前記メッセージは前記選択された識別子を含む、転送する手段と
を備えることを特徴とする、無線セルラ通信ネットワークの移動端末。
【請求項１１】
プログラマブル装置に直接ロードすることができるコンピュータプログラムであって、プログラマブル装置で実行されると、請求項１〜４のいずれか一項に記載の方法のステップを実施する命令又はコード部分を含む、コンピュータプログラム。
【請求項１２】
プログラマブル装置に直接ロードすることができるコンピュータプログラムであって、プログラマブル装置で実行されると、請求項５又は８に記載の方法のステップを実施する命令又はコード部分を含む、コンピュータプログラム。
【請求項１３】
複数のトラッキングエリアを含む無線セルラ通信ネットワークの基地局により移動端末に転送される信号であって、
各トラッキングエリアは複数のセルを含み、
前記基地局は少なくとも２つのトラッキングエリアに属するセルを管理し、
前記移動端末は少なくとも２つのトラッキングエリアに属する前記セル内に位置する
信号において、
前記信号は、前記基地局により管理される前記セルが属する前記少なくとも２つのトラッキングエリアの複数の識別子を含むことを特徴とする、無線セルラ通信ネットワークの基地局により移動端末に転送される信号。
【請求項１４】
前記信号は追加情報をさらに含み、
前記追加情報は、前記基地局により管理される前記セルと前記少なくとも２つのトラッキングエリアのうちの少なくとも１つのトラッキングエリアの境界との距離を表すデータであり、及び／又は、
前記追加情報は、前記基地局が接続されている少なくとも１つのモビリティ管理エンティティの輻輳状況を表すデータであり、及び／又は
前記追加情報は、前記２つのトラッキングエリアのうちの少なくとも１つのトラッキングエリアに関連付けられる少なくとも１つの確率を表すデータであり、及び／又は
前記追加情報は、前記少なくとも２つのトラッキングエリアの中の好ましいトラッキングエリアを表すデータである
ことを特徴とする、請求項１３に記載の信号。
【発明の詳細な説明】
【技術分野】
【０００１】
本発明は、複数のトラッキングエリアを含む無線セルラ通信ネットワークの、トラッキングエリアを特定する方法及び装置に関する。
【０００２】
無線通信ネットワークの基地局の複数のセルで構成されるエリア内を移動する移動端末に通信サービスを提供する、移動体通信ネットワークのような無線セルラ通信ネットワークは、通常、移動端末と通信セッションを確立できるように、随時、移動端末の位置を突きとめる手段を移動体通信運営事業者に提供する。
【０００３】
通常の無線セルラ通信ネットワークは、トラッキングエリア（ＴＡ）を使用してアイドルモードの移動端末の位置をトラッキングすることができる。各セルがトラッキングエリアに割り当てられる。アイドルモードの移動端末が別のトラッキングエリアのセルに入ると、その移動端末は、入った先のセルを管理する基地局を通じて、トラッキングエリア更新（ＴＡＵ）メッセージをモビリティ管理エンティティ（ＭＭＥ）に送信し、移動端末が位置特定されたことをそのトラッキングエリア内のモビリティ管理エンティティに通知する。こうして、複数のトラッキングエリアの集合として定義されるプールエリア内の移動端末の位置がモビリティ管理エンティティに通知され続ける。
【０００４】
移動端末へのコールが着信する場合、モビリティ管理エンティティは、対応するトラッキングエリアに属するすべてのセルに呼び出しメッセージを送信する。アイドルモードの移動端末は、位置しているセルの呼び出しチャネルを定期的にリッスンし、呼び出し通知に答える。トラッキングエリアの概念により、移動端末は定期的なセル更新メッセージを送信する必要がない。その結果、移動端末の消費電力は、セル更新メッセージ技法と比べて低い。
【０００５】
トラッキングエリア技法はそれでも、いくつかの欠点を提供する。例として、移動端末が異なるトラッキングエリアの２つのセル間を行ったり来たりしている場合、移動端末はその都度、トラッキングエリア更新メッセージをモビリティ管理エンティティに送信する。このような場合、シグナリングが多くなりすぎる。
【０００６】
その問題を解消するために、重複するトラッキングエリアの画定が提案された。このような技法では、１つのセルが少なくとも２つのトラッキングエリアに属するものとして構成することができる。そうすれば、移動端末は、第１のトラッキングエリアのあるセルから別のトラッキングエリアのあるセルに移動するとき、両方のトラッキングエリアに属するセルを通過する。移動端末は、自身が位置するセルが移動端末に割り当てられた最初のトラッキングエリアにもはや属さなくなった場合のみ、トラッキングエリア更新メッセージを報告する。したがって、移動端末が２つのセルのエッジで移動し続けている場合、上述したようないかなるピンポン効果ももはや存在しない。
【０００７】
プールエリアを管理する１つのモビリティ管理エンティティを有するのではなく、プールエリアを管理する複数のモビリティ管理エンティティのプールを作成することも提案されている。このような技法は、モビリティ管理エンティティプール内の１つのモビリティ管理エンティティがシャットダウンしてもネットワークが引き続き動作できるので、ネットワークに単一故障点が存在しない。このようなシャットダウンは、動作不良により、又は保守のために発生し得る。複数のモビリティ管理エンティティを１つのプールエリアに追加することにより、１つのモビリティ管理エンティティがプールエリアを管理する場合に発生し得る輻輳問題も回避される。プールエリアのセルの集合がフルメッシュ接続性を提供する。すなわち、プールエリアのセルを管理する各基地局は、モビリティ管理エンティティプールの各モビリティ管理エンティティに接続される。
【０００８】
移動端末の地理的分散及び速度が、時間と共に、トラッキングエリアひいてはプールエリアにわたって非均等に展開するにつれ、１つのプールエリア内の複数のトラッキングエリアにわたるモビリティ状況、及び、異なるプールエリアのトラッキングエリア間のモビリティ状況によるシグナリングレベルは時間と共に変化することになる。各モビリティ管理エンティティプール内のモビリティ管理エンティティの数及び容量は、輻輳を回避するために、シグナリングレベルのそのような変動に対応するのに十分大きな数量でなければならない。
【０００９】
各モビリティ管理エンティティプールを形成するモビリティ管理エンティティの数及び容量は、セルラ通信ネットワークの導入コストに大きな影響を有する。移動端末の全体数はむしろセルラネットワーク全体にわたって安定しているが、各プールエリア内のモビリティ管理エンティティの数及び容量は、各プールエリア内の移動端末の局所密度の時間による変動に対応するために、必要数量よりもはるかに大きな数量であるべきである。
【００１０】
一解決策は、１つのみのプールエリアを有する無線セルラ通信ネットワークを設計することであるが、その場合、プールエリアのフルメッシュ接続性の特性により、導入できるセルラネットワークのサイズが制限される。
【００１１】
【特許文献１】欧州特許出願公開第１７１５７１５号明細書（段落［０００５］、［０００６］）
【特許文献２】国際公開第２００６／０９４２９５号パンフレット（段落［００１０］、［００１１］）
【特許文献３】欧州特許出願公開第１５１１３３３号明細書（段落［０００９］）
【００１２】
したがって、本発明の目的は、無線セルラ通信ネットワークのモビリティ管理エンティティの輻輳問題を回避できるようにする方法及び装置を提案することである。
【００１３】
その目的のために、本発明は、複数のトラッキングエリアを含む無線セルラ通信ネットワークのトラッキングエリアを判断する方法であって、各トラッキングエリアは移動端末が位置する複数のセルを含み、少なくとも２つのトラッキングエリアは少なくとも２つのトラッキングエリアに含まれるセルと１つのトラッキングエリアに属するセルとを含み、各セルは無線セルラ通信ネットワークの基地局により管理される方法において、当該方法は、少なくとも２つのトラッキングエリアに含まれるセルを管理する少なくとも１つの基地局が、基地局により管理されるセルに含まれる少なくとも１つの移動端末にメッセージを転送するステップであって、メッセージは、基地局により管理されるセルが属する少なくとも２つのトラッキングエリアの複数の識別子を含む、転送するステップと、移動端末からメッセージを受信するステップであって、メッセージは、移動端末に転送された複数の識別子の中の１つの単一の識別子を含み、識別子は移動端末により選択されるトラッキングエリアの識別子である、受信するステップとを実行することを特徴とする、方法に関する。
【００１４】
本発明はまた、複数のトラッキングエリアを含む無線セルラ通信ネットワークの基地局であって、各トラッキングエリアは移動端末が位置する複数のセルを含み、少なくとも２つのトラッキングエリアは少なくとも２つのトラッキングエリアに含まれるセルと１つのトラッキングエリアに属するセルとを含み、各セルは無線セルラ通信ネットワークの基地局により管理される、基地局において、少なくとも２つのトラッキングエリアに含まれるセルを管理する基地局は、基地局により管理されるセルに含まれる少なくとも１つの移動端末にメッセージを転送する手段であって、メッセージは、基地局により管理されるセルが属する少なくとも２つのトラッキングエリアの複数の識別子を含む、転送する手段と、移動端末からメッセージを受信する手段であって、メッセージは、移動端末に転送された複数の識別子の中の１つの単一の識別子を含み、識別子は移動端末により選択されるトラッキングエリアの識別子である、受信する手段とを備えることを特徴とする、基地局に関する。
【００１５】
したがって、無線通信ネットワークのモビリティ管理エンティティの輻輳問題を回避することが可能である。
【００１６】
移動端末に、属すると判断するトラッキングエリアがどれであるかを判断させることにより、本発明は、あまりに多数の端末が同時にトラッキングエリアを変更することを回避する。各移動端末が自身でトラッキングエリアを判断する限り、第１のトラッキングエリアを選択するものもあれば、別のトラッキングエリアを選択するものもある。モビリティ管理エンティティの輻輳状態の急速な変更はなくなる。
【００１７】
特定の特徴によれば、基地局は追加情報を転送し、追加情報は、基地局により管理されるセルと少なくとも２つのトラッキングエリアのうちの少なくとも１つのトラッキングエリアの境界との距離を表すデータであり、及び／又は、追加情報は、基地局が接続されている少なくとも１つのモビリティ管理エンティティの輻輳状況を表すデータであり、及び／又は、追加情報は、少なくとも２つのトラッキングエリアのうちの少なくとも１つのトラッキングエリアに関連付けられる少なくとも１つの確率を表すデータであり、及び／又は、追加情報は、少なくとも２つのトラッキングエリアの中の好ましいトラッキングエリアを表すデータである。
【００１８】
したがって、移動端末は、無線セルラ通信ネットワークの状態及び／又は構成に従ってトラッキングエリアを選択することができる。
【００１９】
輻輳問題が効率的に回避される。
【００２０】
特定の特徴によれば、１つのトラッキングエリアに関連付けられる確率は、基地局により管理されるセルと少なくとも２つのトラッキングエリアのうちの少なくとも１つのトラッキングエリアの境界との距離から求められ、及び／又は、基地局が接続されている少なくとも１つのモビリティ管理エンティティの輻輳状況を表すデータから求められる。
【００２１】
したがって、輻輳問題を効率的に回避しながら、各トラッキングエリアのエッジでのシグナリング手続き数を最小にすることができる。
【００２２】
特定の特徴によれば、１つの確率が各トラッキングエリアに関連付けられ、好ましいトラッキングエリアは、関連付けられた確率がそれらの確率の中で最高であるトラッキングエリアとして決定される。
【００２３】
したがって、輻輳問題を効率的に回避しながら、各トラッキングエリアのエッジでのシグナリング手続き数を最小にすることができる。
【００２４】
さらに別の態様によれば、本発明は、複数のトラッキングエリアを含む無線セルラ通信ネットワークのトラッキングエリアを判断する方法であって、各トラッキングエリアは移動端末が位置する複数のセルを含み、少なくとも２つのトラッキングエリアは少なくとも２つのトラッキングエリアに含まれるセルと１つのトラッキングエリアに属するセルとを含み、各セルは無線セルラ通信ネットワークの基地局により管理される方法において、当該方法は、少なくとも２つのトラッキングエリアに含まれるセルに位置する少なくとも１つの移動端末が、移動端末が位置するセルを管理する基地局からメッセージを受信するステップであって、メッセージは、基地局により管理されるセルが属するトラッキングエリアの複数の識別子を含む、受信するステップと、移動端末により受信される複数の識別子の中から１つの識別子を選択するステップと、移動端末が位置するセルを管理する基地局にメッセージを転送するステップであって、メッセージは選択された識別子を含む、転送するステップとを実行することを特徴とする、方法に関する。
【００２５】
本発明はまた、複数のトラッキングエリアを含む無線セルラ通信ネットワークの移動端末であって、各トラッキングエリアは複数の移動端末が位置する複数のセルを含み、少なくとも２つのトラッキングエリアは少なくとも２つのトラッキングエリアに含まれるセルと１つのトラッキングエリアに属するセルとを含み、各セルは無線セルラ通信ネットワークの基地局により管理され、前記移動端末は少なくとも２つのトラッキングエリアに含まれるセルに位置する、移動端末において、前記移動端末は、移動端末が位置するセルを管理する基地局からメッセージを受信する手段であって、メッセージは、基地局により管理されるセルが属するトラッキングエリアの複数の識別子を含む、受信する手段と、移動端末により受信される複数の識別子の中から１つの識別子を選択する手段と、移動端末が位置するセルを管理する基地局にメッセージを転送する手段であって、メッセージは選択された識別子を含む、転送する手段とを備えることを特徴とする、移動端末に関する。
【００２６】
したがって、無線通信ネットワークのモビリティ管理エンティティの輻輳問題を回避することができる。
【００２７】
移動端末に、属すると判断するトラッキングエリアがどれであるかを判断させることにより、本発明は、あまりに多数の端末が同時にトラッキングエリアを変更することを回避する。各移動端末が自身でトラッキングエリアを判断する限り、第１のトラッキングエリアを選択するものもあれば、別のトラッキングエリアを選択するものもある。モビリティ管理エンティティの輻輳状態の急速な変更はなくなる。
【００２８】
特定の特徴によれば、移動端末は追加情報を受信し、追加情報は、基地局により管理されるセルと少なくとも２つのトラッキングエリアのうちの少なくとも１つのトラッキングエリアの境界との距離を表すデータであり、及び／又は、追加情報は、基地局が接続されている少なくとも１つのモビリティ管理エンティティの輻輳状況であり、及び／又は、追加情報は、少なくとも２つのトラッキングエリアのうちの少なくとも１つのトラッキングエリアに関連付けられる確率を表すデータであり、及び／又は、追加情報は、少なくとも２つのトラッキングエリアの中の好ましいトラッキングエリアを表すデータである。
【００２９】
したがって、移動端末は、無線セルラ通信ネットワークの状態及び／又は構成に従ってトラッキングエリアを選択することができる。
【００３０】
輻輳問題が効率的に回避される。
【００３１】
さらに、追加情報が基地局により管理されるセルと少なくとも２つのトラッキングエリアのうちの少なくとも１つのトラッキングエリアの境界との距離を表す場合、移動端末は、最小距離値を有するトラッキングエリアの識別子を選択し、そうして上述したようないかなるピンポン効果も回避する。
【００３２】
さらに、追加情報が好ましいトラッキングエリアを表す場合、移動端末は、単純なやり方で、無線通信ネットワークの状態及び／又は構成に従ってトラッキングエリアを選択することができる。
【００３３】
特定の特徴によれば、移動端末が受信する複数の識別子の中の識別子は、ランダム値を生成することと、生成されたランダム値を少なくとも２つのトラッキングエリアのうちの少なくとも１つのトラッキングエリアに関連付けられる確率と比較することとにより選択される。
【００３４】
したがって、ランダム値を使用することにより、モビリティ管理エンティティの輻輳状態の急速な変更がなくなる。
【００３５】
特定の特徴によれば、基地局からメッセージを受信する前に、移動端末は、トラッキングエリア更新メッセージであるメッセージを基地局に定期的に転送する。
【００３６】
したがって、メッセージが定期的であり、かつメッセージのフェーズは移動端末間で異なるため、モビリティ管理エンティティの輻輳状況の急速な変更がなくなる。
【００３７】
さらに別の態様によれば、本発明は、プログラマブル装置に直接ロードすることができるコンピュータプログラムであって、プログラマブル装置で実行されると本発明による方法のステップを実施する命令又はコード部分を含む、コンピュータプログラムに関する。
【００３８】
コンピュータプログラムに関する特徴及び利点は、本発明による方法及び装置に関して上述した特徴及び利点と同じであるため、ここで繰り返さない。
【００３９】
さらに別の態様によれば、本発明は、複数のトラッキングエリアを含む無線セルラ通信ネットワークの基地局により移動端末に転送される信号であって、各トラッキングエリアは複数のセルを含み、基地局は少なくとも２つのトラッキングエリアに属するセルを管理し、移動端末は少なくとも２つのトラッキングエリアに属するセル内に位置する、信号において、信号は、基地局により管理されるセルが属する複数のトラッキングエリアの識別子を含むことを特徴とする、信号に関する。
【００４０】
特定の特徴によれば、信号は追加情報をさらに含み、追加情報は、基地局により管理されるセルと少なくとも２つのトラッキングエリアのうちの少なくとも１つのトラッキングエリアの境界との距離を表すデータであり、及び／又は、追加情報は、基地局が接続されている少なくとも１つのモビリティ管理エンティティの輻輳状況を表すデータであり、及び／又は、追加情報は、少なくとも２つのトラッキングエリアのうちの少なくとも１つのトラッキングエリアに関連付けられる少なくとも１つの確率を表すデータであり、及び／又は、追加情報は、少なくとも２つのトラッキングエリアの中の好ましいトラッキングエリアを表すデータである。
【００４１】
信号に関する特徴及び利点は、本発明による方法及び装置に関して上述した特徴及び利点と同じであるため、ここで繰り返さない。
【００４２】
本発明の特徴は、添付図面を参照して行われる一実施形態例の以下の説明を読むことからより明確になろう。
【００４３】
図１は、本発明が実施される無線セルラ通信ネットワークの構造を表す図である。
【００４４】
図１の無線セルラ通信では、４０ａ及び４０ｂと記されている２つのモビリティ管理エンティティプールが示される。
【００４５】
モビリティ管理エンティティプール４０ａは、例として、２つのモビリティ管理エンティティ２０ａ及び２０ｂを含み、モビリティ管理エンティティプール４０ｂは、例として、２つのモビリティ管理エンティティ２０ｃ及び２０ｄを含む。
【００４６】
モビリティ管理エンティティ２０ａ及び２０ｂはそれぞれ、通信ネットワーク５０ａを通じて、モビリティ管理エンティティ２０ａ及び２０ｂが管理するトラッキングエリア７０ａに含まれるセル１５ａ１〜１５ａ１０及び１５ａｂ１〜１５ａｂ１４のうちの１つを管理する各基地局ＢＴＳにリンクされる。
【００４７】
モビリティ管理エンティティ２０ｃ及び２０ｄはそれぞれ、通信ネットワーク５０ｂを通じて、モビリティ管理エンティティ２０ｃ及び２０ｄが管理するトラッキングエリア７０ｂに含まれるセル１５ｂ１〜１５ｂ７及び１５ａｂ１〜１５ａｂ１４のうちの１つを管理する各基地局ＢＴＳにリンクされる。
【００４８】
セル１５ａｂ１〜１５ａｂ１４はトラッキングエリア７０ａ及びトラッキングエリア７０ｂの両方に属する。すなわち、２つのトラッキングエリア７０の重複エリアに属する。
【００４９】
トラッキングエリア７０は複数のセル１５を含む。図１に示していない遠隔の通信装置が移動端末３０と通信を確立しようとするとき、移動端末３０を担当するモビリティ管理エンティティ２０が、トラッキングエリア７０に含まれるセル１５を管理する各基地局ＢＴＳに、遠隔の通信装置が移動端末３０と通信を確立しようとしていることを示す呼び出しメッセージを転送する。
【００５０】
トラッキングエリアに含まれるセル１５を管理する各基地局ＢＴＳは、それに応答して、無線インタフェース２０６を通じて、自身が管理するセル１５内で呼び出しメッセージを転送する。
【００５１】
通信ネットワーク５０ａ及び５０ｂは、非限定的な例として、専用有線ネットワークであり、公衆交換網のような公衆ネットワークの一部、ＩＰベースネットワーク、無線ネットワーク、非同期転送モードネットワーク、又は上記ネットワークの組み合わせである。
【００５２】
明確にするために、１つの基地局ＢＴＳのみが図１に示される。基地局ＢＴＳは、移動端末３０が位置するセル１５ａｂ１３を管理する。
【００５３】
明確にするために、１つの移動端末３０のみが図１に示されるが、実際には、より重要な数の移動端末３０が無線セルラ通信ネットワークのセル１５内にある。
【００５４】
基地局ＢＴＳはノード、ノードＢ、拡張ノードＢ、又はアクセスポイントとも呼ばれる。
【００５５】
移動端末は、携帯電話、携帯情報端末、又はパーソナルコンピュータのような端末である。
【００５６】
本発明によれば、少なくとも２つのトラッキングエリア７０に含まれるセル１５を管理する各基地局ＢＴＳは、自身が管理するセル１５に含まれる移動端末３０に、基地局ＢＴＳにより管理されるセル１５が属するトラッキングエリア７０の識別子を含む少なくとも１つのメッセージを転送する。このメッセージは、好ましくは、本発明による追加情報を含む。
【００５７】
本発明によれば、各移動端末３０はこの少なくとも１つのメッセージを受信し、判断のための追加情報を使用して又は使用せずに、それが属するトラッキングエリアを判断する。移動端末３０は、自身が選択するトラッキングエリア７０の識別子を含むメッセージを基地局ＢＴＳに送信する。
【００５８】
図２は、本発明による基地局のブロック図である。
【００５９】
基地局ＢＴＳは、たとえば、バス２０１により共に接続された構成要素と、図４に開示するようなプログラムにより制御されるプロセッサ２００とに基づく構造を有する。
【００６０】
ここで、一変形では、基地局ＢＴＳは、以下で開示するようなプロセッサ２００により実行される動作と同じ動作を実行する、１つ又はいくつかの専用集積回路の形で実施されることに留意する必要がある。
【００６１】
バス２０１は、プロセッサ２００を、読み取り専用メモリＲＯＭ２０２、ランダムアクセスメモリＲＡＭ２０３、データベース２０５、ネットワークインタフェース２０４、及び無線インタフェース２０６にリンクする。
【００６２】
メモリ２０３は、変数の受け取りを目的とするレジスタと、図４に開示されるようなアルゴリズムに関連するプログラムの命令とを含む。
【００６３】
プロセッサ２００は、ネットワークインタフェース２０４及び無線インタフェース２０６の動作を制御する。
【００６４】
無線インタフェース２０６は、基地局ＢＴＳにより管理されるセル１５ａｂ１３が属するトラッキングエリア７０の識別子を含む、少なくとも１つのメッセージを転送する手段を備える。このメッセージは、好ましくは本発明による追加情報を含む。
【００６５】
無線インタフェース２０６は、移動端末３０が選択するトラッキングエリア７０の識別子を含むメッセージを、移動端末３０から受信する手段を備える。
【００６６】
読み取り専用メモリ２０２は、図４に開示されるようなアルゴリズムに関連するプログラムの命令を含み、この命令は、基地局ＢＴＳに電源が投入されるとランダムアクセスメモリ２０３に転送される。
【００６７】
基地局ＢＴＳは、ネットワークインタフェース２０４を通じて通信ネットワーク５０ａ及び５０ｂに接続される。例として、ネットワークインタフェース２０４はＤＳＬ（デジタル加入者回線）モデム又はＩＳＤＮ（統合サービスデジタル網）インタフェース等である。基地局ＢＴＳにより管理されるセル１５内にある移動端末３０により確立又は受信される通信は、ネットワークインタフェース２０４及び無線インタフェース２０６を通過する。
【００６８】
データベース２０５は、距離を表すデータを記憶する。この距離は、基地局ＢＴＳにより管理されるセル１５ａｂ１３と、少なくとも２つのトラッキングエリア７０のうちの少なくとも１つのトラッキングエリア７０の境界との距離である。より厳密には、基地局ＢＴＳにより管理されるセル１５ａｂ１３と少なくとも１つのトラッキングエリアの境界との距離は、基地局ＢＴＳにより管理されるセル１５ａｂ１３とトラッキングエリア７０の境界との最短距離である。例として、距離を表すデータはセル１５ａｂ１３とセル１５ａ５とを隔てる距離及びセル１５ａｂ１３とセル１５ｂ１とを隔てる距離である。これらのデータは、基地局ＢＴＳが無線セルラ通信ネットワークに設置されたとき、新しいいくつかの基地局が追加されるとき、又はトラッキングエリアが変更されるときにデータベース２０５に記憶される。
【００６９】
データベース２０５は、基地局ＢＴＳが接続されているモビリティ管理エンティティ２０ａ〜２０ｄの輻輳状況を表すデータも含む。輻輳状況を表すデータは、定期的に更新されるか、又は要求により更新される。
【００７０】
データベース２０５は、各モビリティ管理エンティティと、基地局により制御される少なくとも１つのセルを含む各トラッキングエリアとの対応も記憶する。
【００７１】
図３は、本発明による移動端末のブロック図である。
【００７２】
移動端末３０は、たとえば、バス３０１により共に接続された構成要素と、図５に開示するようなプログラムにより制御されるプロセッサ３００とに基づく構造を有する。
【００７３】
ここで、一変形では、移動端末３０は、以下で開示するようなプロセッサ３００により実行される動作と同じ動作を実行する、１つ又はいくつかの専用集積回路の形で実施されることに留意する必要がある。
【００７４】
バス３０１は、プロセッサ３００を、読み取り専用メモリＲＯＭ３０２、ランダムアクセスメモリＲＡＭ３０３、及び無線インタフェース３０６にリンクする。
【００７５】
メモリ３０３は、変数の受け取りを目的とするレジスタと、図５に開示されるようなアルゴリズムに関連するプログラムの命令とを含む。
【００７６】
プロセッサ３００は無線インタフェース３０６の動作を制御する。
【００７７】
読み取り専用メモリ３０２は、図５に開示されるようなアルゴリズムに関連するプログラムの命令を含み、この命令は、移動端末３０に電源が投入されるとランダムアクセスメモリ３０３に転送される。
【００７８】
無線インタフェース３０６は、移動端末３０が位置するセル１５のトラッキングエリア７０の識別子を含む、少なくとも１つのメッセージを受信する手段を備える。このメッセージは、好ましくは本発明による追加情報を含む。
【００７９】
無線インタフェース３０６は、移動端末３０が選択するトラッキングエリア７０の識別子を含むメッセージを、移動端末３０が位置するセル１５を管理する基地局ＢＴＳに転送する手段を備える。
【００８０】
図４は、少なくとも２つのトラッキングエリアの識別子と、好ましくは追加情報とを転送するために基地局により実行されるアルゴリズムを表す。
【００８１】
本アルゴリズムは、無線セルラ通信ネットワークの少なくとも１つのセルを管理する各基地局ＢＴＳにより実行される。
【００８２】
ステップＳ４００において、基地局ＢＴＳのプロセッサ２００は、基地局ＢＴＳにより管理されるセル１５が少なくとも２つのトラッキングエリア７０に属するか否かを調べる。
【００８３】
基地局ＢＴＳにより管理されるセル１５が少なくとも２つのトラッキングエリア７０に属する場合、プロセッサ２００はステップＳ４０１に移る。属していない場合、プロセッサ２００は本アルゴリズムを終了する。
【００８４】
例として、セル１５ａ１を管理する基地局ＢＴＳのプロセッサ２００が本アルゴリズムを実行する場合、基地局ＢＴＳにより管理されるセル１５ａ１は１つのトラッキングエリア７０ｂに属するため、本アルゴリズムは終了する。
【００８５】
セル１５ａｂ１３を管理する基地局ＢＴＳのプロセッサ２００が本アルゴリズムを実行する場合、基地局ＢＴＳにより管理されるセル１５ａｂ１３は２つのトラッキングエリア７０ａ及び７０ｂに属するため、本アルゴリズムはステップＳ４０１に移る。
【００８６】
次のステップＳ４０１において、プロセッサ２００はデータベース２０５から距離を表すデータを取得する。この距離は、基地局ＢＴＳにより管理されるセル１５ａｂ１３と、少なくとも２つのトラッキングエリア７０のうちの少なくとも１つのトラッキングエリア７０の境界との距離を表す。例として、距離を表すデータは、セル１５ａｂ１３とセル１５ａ５とを隔てる距離及びセル１５ａｂ１３とセル１５ｂ１とを隔てる距離である。
【００８７】
次のステップＳ４０２において、プロセッサ２００は、データベース２０５から、基地局ＢＴＳが接続されているモビリティ管理エンティティ２０ａ〜２０ｄの輻輳状況を表すデータを取得する。
【００８８】
次のステップＳ４０３において、プロセッサ２００は追加情報を形成する。
【００８９】
追加情報は、基地局ＢＴＳにより管理されるセル１５ａｂ１３と、少なくとも２つのトラッキングエリア７０のうちの少なくとも１つのトラッキングエリア７０の境界との距離を表すデータである。及び／又は、追加情報は、基地局ＢＴＳが接続されているモビリティ管理エンティティ２０ａ〜２０ｄの輻輳状況を表すデータである。及び／又は、追加情報は、少なくとも１つのトラッキングエリア７０に関連付けられる確率を表すデータである。この、少なくとも１つのトラッキングエリア７０に関連付けられる確率は、基地局ＢＴＳにより管理されるセル１５ａｂ１３と少なくとも２つのトラッキングエリアのうちの少なくとも１つのトラッキングエリアの境界との距離から求められる。及び／又は、この確率は、基地局ＢＴＳが接続されているモビリティ管理エンティティ２０ａ〜２０ｄの輻輳状況から求められる。及び／又は、この確率は、トラッキングエリア７０のうち好ましいトラッキングエリア７０ａ又は７０ｂを表すデータから求められる。
【００９０】
この、少なくとも１つのトラッキングエリア７０に関連付けられる確率は、例として、図６ａ〜図６ｃに示す曲線を使用して求められる。
【００９１】
図６ａ〜図６ｃは、本発明による追加情報を求めるために使用される曲線の例を表す。
【００９２】
図６ａ〜図６ｃの縦軸には、トラッキングエリア７０ａを管理するモビリティ管理エンティティ２０ａ及び２０ｂの輻輳状況に関連付けられる確率と、トラッキングエリア７０ｂを管理するモビリティ管理エンティティ２０ｃ及び２０ｄの輻輳状況に関連付けられる確率とが示される。
【００９３】
図６ａ〜図６ｃの各横軸には、基地局ＢＴＳにより管理されるセル１５ａｂ１３と、少なくとも２つのトラッキングエリア７０のうちの少なくとも１つのトラッキングエリア７０の境界との距離の比が示される。
【００９４】
基地局ＢＴＳにより管理されるセル１５ａｂ１３と、少なくとも２つのトラッキングエリア７０のうちの少なくとも１つのトラッキングエリア７０の境界との距離の比は、例として、以下の式に従って計算される。
【００９５】
【数１】
2008113441.tif 000003
【００９６】
式中、Ｄ１５ａｂ１３，１５ｂ１は、基地局ＢＴＳにより管理されるセル１５ａｂ１３と、セル１５ｂ１との距離であり、Ｄ１５ａｂ１３，１５ａ５は、基地局ＢＴＳにより管理されるセル１５ａｂ１３と、セル１５ａ５との距離である。
【００９７】
例として、プロセッサ２００は、以下の式に従ってモビリティ管理エンティティ２０ａ、２０ｂ、２０ｃ、及び２０ｄの輻輳状況の比を計算する。
【００９８】
【数２】
2008113441.tif 000004
【００９９】
式中、Ｐ４０ａはモビリティ管理エンティティ２０ａ及び２０ｂの輻輳状況であり、Ｐ４０ｂはモビリティ管理エンティティ２０ｃ及び２０ｄの輻輳状況である。
【０１００】
Ｐｃｏｎｇ>１／２の場合、プロセッサ２００は図６ａの曲線を選択し、Ｐｃｏｎｇ＝１／２の場合、図６ｂの曲線を選択し、Ｐｃｏｎｇ＜１／２の場合、図６ｃの曲線を選択する。
【０１０１】
図６ａ、図６ｂ、図６ｃには、輻輳状況の比の３つの異なる値の範囲に対する３つの曲線のみが示される。しかし、本発明の範囲から逸脱することなく、輻輳状況の比のより多くの値の範囲に適用されるより多くの曲線を使用することができる。
【０１０２】
基地局ＢＴＳにより管理されるセル１５ａｂ１３と少なくとも２つのトラッキングエリア７０のうちの少なくとも１つのトラッキングエリア７０の境界との距離の比から、プロセッサ２００は、Ｐ（ＴＡ４０ａ）及びＰ（ＴＡ４０ｂ）と記されている曲線を使用して、各トラッキングエリア７０に関連付けられる確率を求める。
【０１０３】
各トラッキングエリア７０に関連付けられる確率から、プロセッサ２００は、求められた確率が最高であるトラッキングエリア７０として、好ましいトラッキングエリア７０を決定する。
【０１０４】
ステップＳ４０４において、プロセッサ２００は、無線インタフェース２０６を通じて、少なくとも１つの移動端末３０への、好ましくはセル１５ａｂ１３内に位置するすべての移動端末３０への、基地局ＢＴＳにより管理されるセル１５ａｂ１３が属するトラッキングエリア７０の識別子を含む少なくとも１つのメッセージの転送を命令する。
【０１０５】
好ましくは、メッセージはステップＳ４０３において求められる追加情報も含む。
【０１０６】
次のステップＳ４０５において、プロセッサ２００は、トラッキングエリア更新メッセージを無線インタフェース２０６を通じて移動端末３０から受信したか否かを調べる。
【０１０７】
トラッキングエリア更新メッセージが受信されていない限り、プロセッサ２００はステップＳ４０４及びＳ４０５を実行する。
【０１０８】
ステップＳ４０５において、トラッキングエリア更新メッセージを移動端末３０から受信した場合、メッセージは、移動端末３０が選択したトラッキングエリア７０の識別子を含んでおり、プロセッサ２００はステップＳ４０６に移る。
【０１０９】
ここで、メッセージが、移動端末３０のコンテキストを保持するモビリティ管理エンティティ２０の識別子、すなわち移動端末３０を担当するモビリティ管理エンティティの識別子をさらに含むことに留意する必要がある。
【０１１０】
次のステップＳ４０６において、プロセッサ２００はデータベース２０５を読み取り、移動端末３０により選択されたトラッキングエリア７０の識別子が、ステップＳ４０５において受信されたメッセージで示されるモビリティ管理エンティティ２０により管理されるトラッキングエリア７０の１つに対応するか否かを調べる。
【０１１１】
移動端末３０により選択されたトラッキングエリア７０の識別子が、ステップＳ４０５において受信されたメッセージで示されるモビリティ管理エンティティ２０により管理されるトラッキングエリア７０の１つに対応する場合、プロセッサ２００は、このメッセージで示されるモビリティ管理エンティティ２０にメッセージを転送し、ステップＳ４０４に戻る。
【０１１２】
その他の場合、ステップＳ４０７において、プロセッサ２００はデータベース２０５を読み取り、移動端末３０により選択されたトラッキングエリア７０に対応する１つのモビリティ管理エンティティ２０を選択する。好ましい一実施態様では、プロセッサ２００は、移動端末３０により選択されたトラッキングエリア７０に対応する、輻輳の程度が低いモビリティ管理エンティティ２０を選択する。
【０１１３】
次のステップＳ４０８において、プロセッサ２００は、ステップＳ４０５において受信したメッセージを、ステップＳ４０７において選択されたモビリティ管理エンティティ２０に転送する。
【０１１４】
選択されたトラッキングエリア７０を制御するモビリティ管理エンティティ２０は、受信したメッセージで識別される直前のトラッキングエリア７０を制御するモビリティ管理エンティティ２０から移動端末３０のコンテキストを取得し、新しいセキュリティ関係を確立する。
【０１１５】
その後、プロセッサ２００はステップＳ４０４に移る。
【０１１６】
図５は、無線セルラ通信ネットワークのトラッキングエリアを決定するために移動端末により実行される第１のアルゴリズムを表す。
【０１１７】
本アルゴリズムは、無線セルラ通信ネットワークの各移動端末３０により実行される。より厳密には、本アルゴリズムは各移動端末３０のプロセッサ３００により実行される。
【０１１８】
ステップＳ５００において、プロセッサ３００は、無線インタフェース３０６を通じて、移動端末３０の周囲の新しい最良セル１５を検出する。
【０１１９】
次のステップＳ５０１において、プロセッサ３００は、無線インタフェース３０６を通じて、ステップＳ５００において移動端末３０により検出されたセル１５を管理する基地局ＢＴＳにより転送されたメッセージの受信を検出する。
【０１２０】
次のステップＳ５０２において、プロセッサ３００はトラッキングエリア更新メッセージを転送するときであるか否かを調べる。
【０１２１】
定期的に、例として５秒毎に、移動端末３０は、移動端末３０が位置するセル１５を管理する基地局ＢＴＳにトラッキングエリア更新メッセージを転送すると決定する。
【０１２２】
別の例として、移動端末３０は、ステップＳ５０１において受信したメッセージが移動端末３０に前に割り振られていたトラッキングエリア７０の識別子を含まない場合、移動端末３０が位置するセル１５を管理する基地局ＢＴＳにトラッキングエリア更新メッセージを転送すると判断する。
【０１２３】
さらに別の例として、移動端末３０は、移動端末３０にまだいずれのトラッキングエリア７０も割り当てられていない場合、移動端末３０が位置するセル１５を管理する基地局ＢＴＳにトラッキングエリア更新メッセージを転送すると判断する。
【０１２４】
トラッキングエリア更新メッセージを転送するときではない場合は、プロセッサ３００はステップＳ５００〜Ｓ５０２により構成されるループを実行する。
【０１２５】
トラッキングエリア更新メッセージを転送するときである場合は、プロセッサ３００はステップＳ５０３に移る。
【０１２６】
次のステップＳ５０３において、プロセッサ３００は、ステップＳ５０１において受信したメッセージが少なくとも２つのトラッキングエリア７０の識別子を含むか否かを調べる。
【０１２７】
ステップＳ５０１において受信したメッセージが１つのトラッキングエリア７０の１つの識別子を含む場合、移動端末３０は１つのトラッキングエリア７０に属するセル１５内に位置し、プロセッサ３００は直接ステップＳ５０６に進む。
【０１２８】
ステップＳ５０１において受信したメッセージが少なくとも２つのトラッキングエリア７０の識別子を含む場合、プロセッサ３００はステップＳ５０４に移るか、又は一変形ではステップＳ５０５に移る。
【０１２９】
ステップＳ５０４において、プロセッサ３００は、チャネルインタフェース３０６を通じて基地局ＢＴＳから受信した追加情報を読み取る。追加情報は、移動端末３０が位置するセル１５ａｂ１３を管理している基地局ＢＴＳにより管理されるセル１５ａｂ１３と、少なくとも２つのトラッキングエリア７０のうちの少なくとも１つのトラッキングエリア７０の境界との距離を表すデータである。及び／又は、追加情報は、基地局ＢＴＳが接続されているモビリティ管理エンティティ２０ａ〜２０ｄの輻輳状況を表すデータである。及び／又は、追加情報は、少なくとも１つのトラッキングエリア７０に関連付けられる確率を表すデータである。及び／又は、追加情報は、少なくとも２つのトラッキングエリア７０の中の好ましいトラッキングエリア７０を表すデータである。
【０１３０】
次のステップＳ５０５において、プロセッサ３００は、ステップＳ５０１において受信した少なくとも２つの識別子の中から１つのトラッキングエリア７０の１つの識別子を選択する。
【０１３１】
例として、プロセッサ３００は、０〜１の間のランダム値を生成することにより、１つのトラッキングエリア７０の１つの識別子、すなわち１つのトラッキングエリア７０を選択する。
【０１３２】
２つのトラッキングエリアがある場合、値が０．５未満であれば、プロセッサ３００は、受信メッセージに含まれるトラッキングエリア７０の最初に受信された識別子を選択する。そうでなければ、プロセッサ３００は、受信メッセージに含まれるトラッキングエリア７０の２番目に受信された識別子を選択する。
【０１３３】
３つ以上、例として３つのトラッキングエリア７０である場合、値が０．３３未満であれば、プロセッサ３００は、受信メッセージに含まれるトラッキングエリア７０の最初に受信された識別子を選択し、値が０．３３以上且つ０．６６未満であれば、受信メッセージに含まれるトラッキングエリア７０の２番目に受信された識別子を選択し、その他であれば、受信メッセージに含まれるトラッキングエリア７０の３番目に受信された識別子を選択する。
【０１３４】
２つのトラッキングエリア７０である場合、追加情報が１つのトラッキングエリア７０に関連付けられる１つの確率Ｐ（ＴＡ４０ａ）であれば、プロセッサ３００は第２のトラッキングエリア７０の確率値Ｐ（ＴＡ４０ｂ）＝１−Ｐ（ＴＡ４０ａ）を計算し、確率がランダム値に最も近いトラッキングエリア７０の第１の識別子を選択する。
【０１３５】
２つのトラッキングエリア７０である場合、追加情報が２つの確率Ｐ（ＴＡ４０ａ）を含む場合、プロセッサ３００は確率がランダム値に最も近いトラッキングエリア７０の識別子を選択する。
【０１３６】
Ｋ個のトラッキングエリア７０の場合（ｋ>２）、追加情報はＫ個の確率Ｐ（ＴＡ４０ｋ）を含む（ｋ＝１〜Ｋ）。
【０１３７】
プロセッサ３００は、各確率Ｐ（ＴＡ４０ｋ）（ｋ＝１〜Ｋ）について以下の式に従って値Ｓｐｋを計算する。
【０１３８】
【数３】
2008113441.tif 000005
【０１３９】
プロセッサ３００は、値Ｓｐｋがランダム値に最も近いトラッキングエリア７０の識別子を選択する。
【０１４０】
例として、追加情報が、移動端末３０が位置するセル１５を管理している基地局ＢＴＳにより管理されるセル１５と、少なくとも２つのトラッキングエリア７０のうちの少なくとも１つのトラッキングエリア７０の境界との距離を表すデータである場合、プロセッサ３００は、最大距離値を有するトラッキングエリアの識別子を選択する。
【０１４１】
例として、情報がモビリティ管理エンティティ２０ａ〜２０ｄの輻輳状況を表すデータである場合、プロセッサ３００は、モビリティ管理エンティティ２０が最小輻輳状況を有するトラッキングエリアの識別子を選択する。
【０１４２】
例として、情報が少なくとも２つのトラッキングエリア７０の中の好ましいトラッキングエリア７０を表す場合、プロセッサ３００は、ステップＳ５０４において読み取られた追加情報に表される好ましいトラッキングエリア７０として識別されるトラッキングエリア７０を選択する。
【０１４３】
例として、情報が、移動端末３０が位置するセル１５を管理している基地局ＢＴＳにより管理されるセル１５の間の距離を表し、少なくとも２つのトラッキングエリア７０のうちの少なくとも１つのトラッキングエリア７０の境界の距離を表し、モビリティ管理エンティティ２０ａ〜２０ｄの輻輳状況を表す場合、プロセッサ３００は、図４のステップＳ４０３において説明した方法と同様にして図６ａ、図６ｂ、図６ｃに示す曲線を使用してトラッキングエリア７０の識別子を選択する。
【０１４４】
次のステップＳ５０５において、プロセッサ３００は、トラッキングエリア更新メッセージを無線インタフェース３０５を通じて基地局ＢＴＳへの転送することを命令する。このトラッキングエリア更新メッセージは、少なくともステップＳ５０５において選択されたトラッキングエリアの識別子か、又はステップＳ５０１において受信したメッセージに含まれる単一の識別子を含む。
【０１４５】
その後、プロセッサ３００はステップＳ５００に移る。
【０１４６】
当然ながら、本発明の範囲から逸脱することなく、上述した本発明の実施形態に多くの変更を行うことが可能である。
【図面の簡単な説明】
【０１４７】
【図１】本発明が実施される無線セルラ通信ネットワークの構造を表す図である。
【図２】本発明による基地局のブロック図である。
【図３】本発明による移動端末のブロック図である。
【図４】少なくとも２つのトラッキングエリアの識別子と、好ましくは追加情報とを転送するために基地局により実行されるアルゴリズムを表す図である。
【図５】無線セルラ通信ネットワークのトラッキングエリアを判断するために移動端末により実行されるアルゴリズムを表す図である。
【図６】ａ〜ｃは、本発明による追加情報を求めるために使用される曲線の例を表す図である。
【図１】
2008113441.tif 000006
【図２】
2008113441.tif 000007
【図３】
2008113441.tif 000008
【図４】
2008113441.tif 000009
【図５】
2008113441.tif 000010
【図６】
2008113441.tif 000011
【外国語明細書】
2008113441.tif 000012
2008113441.tif 000013
2008113441.tif 000014
2008113441.tif 000015
2008113441.tif 000016
2008113441.tif 000017
2008113441.tif 000018
2008113441.tif 000019
2008113441.tif 000020
2008113441.tif 000021
2008113441.tif 000022
2008113441.tif 000023
2008113441.tif 000024
2008113441.tif 000025
2008113441.tif 000026
2008113441.tif 000027
2008113441.tif 000028
2008113441.tif 000029
2008113441.tif 000030
2008113441.tif 000031
2008113441.tif 000032
2008113441.tif 000033
2008113441.tif 000034
2008113441.tif 000035
2008113441.tif 000036
2008113441.tif 000037
2008113441.tif 000038
2008113441.tif 000039
2008113441.tif 000040